(57)【要約】【課題】この発明は、フォルダに共通属性を登録可能とすることにより、そのフォルダにグルーピングされたコンテンツに対して共通属性に基づいた処理が施されるようにして、ユーザにとってより自由度が高く使い勝手の良いグルーピングを実現することを可能とした記録装置及び記録方法、再生装置及び再生方法、記録媒体を提供することを目的としている。【解決手段】コンテンツをフォルダにグルーピングして記録媒体（１１）に記録する記録装置であって、フォルダに共通属性を登録することが要求された場合、その要求されたフォルダに持たせる機能を示すフォルダ機能情報を設定する第１の設定手段（１７，２５，２６）と、第１の設定手段（１７，２５，２６）で設定された機能に必要なフォルダ共通情報を設定する第２の設定手段（１７，２５，２６）とを備える。【選択図】    図１
2005339691.tif 000002
【特許請求の範囲】
【請求項１】
コンテンツをフォルダにグルーピングして記録媒体に記録する記録装置であって、
フォルダが新規に作成された場合、その新規作成されたフォルダに共通属性を登録するか否かを選択させる選択手段と、
前記選択手段で新規作成されたフォルダに共通属性を登録することが選択された場合、その新規作成されたフォルダに持たせる機能を示すフォルダ機能情報を設定する第１の設定手段と、
前記第１の設定手段で設定された機能に必要なフォルダ共通情報を設定する第２の設定手段とを具備したことを特徴とする記録装置。
【請求項２】
コンテンツをフォルダにグルーピングして記録媒体に記録する記録装置であって、
既存のフォルダに共通属性を登録することが要求された場合、その要求されたフォルダに持たせる機能を示すフォルダ機能情報を設定する第１の設定手段と、
前記第１の設定手段で設定された機能に必要なフォルダ共通情報を設定する第２の設定手段とを具備したことを特徴とする記録装置。
【請求項３】
前記第１の設定手段は、フォルダ内のコンテンツを特定のフォーマットで記録媒体に記録する機能を示す情報、フォルダ内のコンテンツの再生に制御を与える機能を示す情報、フォルダ内のコンテンツの一覧表示に制御を与える機能を示す情報のうち、少なくとも１つを設定可能であることを特徴とする請求項１または２記載の記録装置。
【請求項４】
コンテンツをフォルダにグルーピングして記録媒体に記録する記録方法であって、
フォルダが新規に作成された場合、その新規作成されたフォルダに共通属性を登録するか否かを選択する工程と、
新規作成されたフォルダに共通属性を登録することが選択された場合、その新規作成されたフォルダに持たせる機能を示すフォルダ機能情報を設定する工程と、
設定された機能に必要なフォルダ共通情報を設定する工程とを具備したことを特徴とする記録方法。
【請求項５】
コンテンツをフォルダにグルーピングして記録媒体に記録する記録方法であって、
既存のフォルダに共通属性を登録することが要求された場合、その要求されたフォルダに持たせる機能を示すフォルダ機能情報を設定する工程と、
設定された機能に必要なフォルダ共通情報を設定する工程とを具備したことを特徴とする記録方法。
【請求項６】
コンテンツがフォルダにグルーピングされて記録された記録媒体を再生する再生装置であって、
指定された前記フォルダに登録されたフォルダ機能情報を参照して、該指定フォルダの持つ機能を判別する判別手段と、
指定された前記フォルダに登録されたフォルダ共通情報から、前記判別手段で判別された機能に必要な情報を取得する取得手段と、
前記取得手段で取得した情報に基づいて、前記判別手段で判別された機能を実行する実行手段とを具備したことを特徴とする再生装置。
【請求項７】
コンテンツがフォルダにグルーピングされて記録された記録媒体を再生する再生装置であって、
指定されたコンテンツからそのコンテンツが属するフォルダを検索する検索手段と、
前記検索手段で検索されたフォルダに登録されたフォルダ機能情報を参照して、該指定フォルダの持つ機能を判別する判別手段と、
指定された前記フォルダに登録されたフォルダ共通情報から、前記判別手段で判別された機能に必要な情報を取得する取得手段と、
前記取得手段で取得した情報に基づいて、前記判別手段で判別された機能を実行する実行手段とを具備したことを特徴とする再生装置。
【請求項８】
コンテンツがフォルダにグルーピングされて記録された記録媒体を再生する再生方法であって、
指定された前記フォルダに登録されたフォルダ機能情報を参照して、該指定フォルダの持つ機能を判別する工程と、
判別された機能に必要な情報を、指定された前記フォルダに登録されたフォルダ共通情報から取得する工程と、
取得した情報に基づいて、判別された機能を実行する工程とを具備したことを特徴とする再生方法。
【請求項９】
コンテンツがフォルダにグルーピングされて記録された記録媒体を再生する再生方法であって、
指定されたコンテンツからそのコンテンツが属するフォルダを検索する工程と、
検索されたフォルダに登録されたフォルダ機能情報を参照して、該指定フォルダの持つ機能を判別する工程と、
判別された機能に必要な情報を、指定された前記フォルダに登録されたフォルダ共通情報から取得する工程と、
取得した情報に基づいて、判別された機能を実行する工程とを具備したことを特徴とする再生方法。
【請求項１０】
コンテンツがフォルダにグルーピングされて記録された記録媒体であって、
前記フォルダに持たせる機能を示すフォルダ機能情報を記録する第１の領域と、
前記フォルダ機能情報で示される機能に必要なフォルダ共通情報を記録する第２の領域とを具備したことを特徴とする記録媒体。
【発明の詳細な説明】
【技術分野】
【０００１】
この発明は、コンテンツをフォルダにグルーピングして記録媒体に記録する記録装置及び記録方法に関する。また、この発明は、フォルダを記録した記録媒体を再生する再生装置及び再生方法に関する。さらに、この発明は、コンテンツをフォルダにグルーピングして記録した記録媒体に関する。
【背景技術】
【０００２】
周知のように、映像や音声等のコンテンツを記録媒体に対して記録再生する装置では、コンテンツをフォルダにグルーピングすることが行なわれている。コンテンツをフォルダにグルーピングする場合、現状では、フォルダ名で分類する手法や、機能別に予め用意された複数のシステムフォルダにコンテンツを分類する手法がとられている。
【０００３】
特許文献１には、デジタルカメラにおいて、撮像記録条件に対応した各種設定値と、撮影した画像を管理するフォルダとを関連付けておき、ユーザが特定のフォルダを選択すると、そのフォルダに対応する各種設定値による撮影動作が得られ、この撮影動作で撮影された画像が当該フォルダに格納される構成が開示されている。
【０００４】
しかしながら、この特許文献１では、予め複数の撮影記録条件に対応した各フォルダを用意しておき、撮影記録条件毎に撮影画像をグルーピングしていくだけの構成であることから、まだまだユーザにとって十分に実用に供し得るレベルに達していると言えるものではなく、種々の点で改良の余地が多々残されているものである。
【特許文献１】特開２００３−１８９２１５号公報
【発明の開示】
【発明が解決しようとする課題】
【０００５】
そこで、この発明は上記事情を考慮してなされたもので、フォルダに共通属性を登録可能とすることにより、そのフォルダにグルーピングされたコンテンツに対して共通属性に基づいた処理が施されるようにして、ユーザにとってより自由度が高く使い勝手の良いグルーピングを実現することを可能とした記録装置及び記録方法、再生装置及び再生方法、記録媒体を提供することを目的とする。
【課題を解決するための手段】
【０００６】
この発明に係る記録装置は、コンテンツをフォルダにグルーピングして記録媒体に記録するものを対象としている。そして、フォルダに共通属性を登録することが要求された場合、その要求されたフォルダに持たせる機能を示すフォルダ機能情報を設定する第１の設定手段と、第１の設定手段で設定された機能に必要なフォルダ共通情報を設定する第２の設定手段とを備えるようにしたものである。
【０００７】
また、この発明に係る記録方法は、コンテンツをフォルダにグルーピングして記録媒体に記録する方法を対象としている。そして、フォルダに共通属性を登録することが要求された場合、その要求されたフォルダに持たせる機能を示すフォルダ機能情報を設定する工程と、設定された機能に必要なフォルダ共通情報を設定する工程とを備えるようにしたものである。
【０００８】
さらに、この発明に係る再生装置は、コンテンツがフォルダにグルーピングされて記録された記録媒体を再生するものを対象としている。そして、指定されたフォルダに登録されたフォルダ機能情報を参照して、該指定フォルダの持つ機能を判別する判別手段と、指定されたフォルダに登録されたフォルダ共通情報から、判別手段で判別された機能に必要な情報を取得する取得手段と、取得手段で取得した情報に基づいて、判別手段で判別された機能を実行する実行手段とを備えるようにしたものである。
【０００９】
また、この発明に係る再生方法は、コンテンツがフォルダにグルーピングされて記録された記録媒体を再生する方法を対象としている。そして、指定されたフォルダに登録されたフォルダ機能情報を参照して、該指定フォルダの持つ機能を判別する工程と、判別された機能に必要な情報を、指定されたフォルダに登録されたフォルダ共通情報から取得する工程と、取得した情報に基づいて、判別された機能を実行する工程とを備えるようにしたものである。
【００１０】
さらに、この発明に係る記録媒体は、コンテンツがフォルダにグルーピングされて記録されたものを対象としている。そして、フォルダに持たせる機能を示すフォルダ機能情報を記録する第１の領域と、フォルダ機能情報で示される機能に必要なフォルダ共通情報を記録する第２の領域とを備えるようにしたものである。
【発明の効果】
【００１１】
上記した発明によれば、フォルダに「フォルダ機能情報」及び「フォルダ共通情報」等の共通属性を登録可能とすることにより、そのフォルダにグルーピングされたコンテンツに対して共通属性に基づいた処理が施されるようにしたので、ユーザにとってより一層自由度が高く使い勝手の良いグルーピングを実現することが可能となる。
【発明を実施するための最良の形態】
【００１２】
以下、この発明の実施の形態について図面を参照して詳細に説明する。図１は、この実施の形態で説明する記録再生装置を示している。
【００１３】
この記録再生装置は、記録媒体としてＤＶＤ（Digital Versatile Disk）−ＲＡＭ（Random Access Memory）とハードディスクとの双方を取り扱うことができる装置として示しているが、ハードディスクあるいはＤＶＤ−ＲＡＭは、例えば半導体メモリによる記録媒体等に置換されてもよい。
【００１４】
図１の各ブロックを大きく分けると、左側には記録部の主なブロックを示し，右側には再生部の主なブロックを示している。
【００１５】
図１の記録再生装置は、２種類のディスクドライブ部を有する。まず、ビデオファイルを構築できる情報記録媒体である第１のメディアとしての光ディスク１１を回転駆動し、情報の読み書きを実行するディスクドライブ部１２を有する。また、第２のメディアとしてのハードディスクを駆動するＨＤＤ（Hard Disk Drive）部１３を有する。
【００１６】
データプロセッサ部１４は、ディスクドライブ部１２及びＨＤＤ部１３に記録データを供給することができ、また、ディスクドライブ部１２及びＨＤＤ部１３から再生された信号を受け取ることができる。
【００１７】
ディスクドライブ部１２は、光ディスク１１に対する回転制御系、レーザ駆動系、光学系等を有する。データプロセッサ部１４は、記録または再生単位のデータを取り扱うもので、バッファ回路、変調・復調回路、エラー訂正部等を含む。
【００１８】
また、図１の記録再生装置は、記録側を構成するエンコーダ部１５と、再生側を構成するデコーダ部１６と、装置本体の動作を制御するマイクロコンピュータブロック１７とを主たる構成要素としている。
【００１９】
エンコーダ部１５は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。エンコーダ部１５の出力は、バッファメモリ１８を含むフォーマッタ１９にて所定のＤＶＤ−ＲＡＭのフォーマットに変換され、上記したデータプロセッサ部１４に供給される。
【００２０】
エンコーダ部１５には、Ａ／Ｖ（Audio／Video）入力部２０からの外部アナログビデオ信号と外部アナログオーディオ信号、あるいはＴＶ（Television）チューナ部２１からのアナログビデオ信号とアナログオーディオ信号が入力される。
【００２１】
なお、エンコーダ部１５は、圧縮されたデジタルビデオ信号やデジタルオーディオ信号が直接入力されるときは、圧縮デジタルビデオ信号やデジタルオーディオ信号を直接フォーマッタ１９に供給することもできる。
【００２２】
また、エンコーダ部１５は、アナログデジタル変換されたデジタルビデオ信号やオーディオ信号を、Ｖ（Video）ミキシング部２２やオーディオセレクタ２３に直接供給することもできる。
【００２３】
エンコーダ部１５に含まれるビデオエンコーダでは、デジタルビデオ信号はＭＰＥＧ（Moving Picture Experts Group）２またはＭＰＥＧ１規格に基づいた可変ビットレートで圧縮されたデジタルビデオ信号に変換される。
【００２４】
デジタルオーディオ信号は、ＭＰＥＧまたはＡＣ（Audio Compression）−３規格に基づいて固定ビットレートで圧縮されたデジタルオーディオ信号、あるいはリニアＰＣＭ（Pulse Code Modulation）のデジタルオーディオ信号に変換される。
【００２５】
副映像信号がＡ／Ｖ入力部２０から入力された場合（例えば副映像信号の独立出力端子付ＤＶＤビデオプレーヤからの信号等）、あるいはこのようなデータ構成のＤＶＤビデオ信号が放送されて、それがＴＶチューナ部２１で受信された場合は、ＤＶＤビデオ信号中の副映像信号が副映像エンコーダでエンコード（ランレングス符号化）されて副映像のビットマップとなる。
【００２６】
エンコードされたデジタルビデオ信号、デジタルオーディオ信号、副映像データは、フォーマッタ１９にてパック化され、ビデオパック、オーディオパック、副映像パックとなり、さらにこれらが集合されてＤＶＤ−レコーディング規格［例えばＤＶＤ−ＲＡＭ、ＤＶＤ−Ｒ（Recordable）、ＤＶＤ−ＲＷ（ReWritable）等に記録する規格］で規定されたフォーマットに変換される。
【００２７】
ここで、図１の記録再生装置は、フォーマッタ１９でフォーマット化された情報（ビデオ、オーディオ、副映像データ等のパック）及び作成された管理情報を、データプロセッサ部１４を介してＨＤＤ部１３あるいはディスクドライブ部１２に供給し、ハードディスクあるいは光ディスク１１に記録することができる。
【００２８】
また、ハードディスクあるいは光ディスク１１に記録された情報を、データプロセッサ部１４、ディスクドライブ部１２を介して光ディスク１１あるいはハードディスクに記録することもできる。
【００２９】
また、ハードディスクあるいは光ディスク１１に記録されている複数番組のビデオオブジェクトを、一部削除したり、異なる番組のオブジェクトをつなげたり、といった編集処理を行なうこともできる。これは、この実施の形態に係るフォーマットが取り扱うデータ単位を定義し、編集を容易にしているからである。
【００３０】
マイクロコンピュータブロック１７は、ＭＰＵ（Micro Processing Unit）またはＣＰＵ（Central Processing Unit）と、制御プログラム等が書きこまれたＲＯＭ（Read Only Memory）と、プログラム実行に必要なワークエリアを提供するためのＲＡＭとを含んでいる。
【００３１】
マイクロコンピュータブロック１７のＭＰＵは、そのＲＯＭに格納された制御プログラムにしたがい、ＲＡＭをワークエリアとして用いて、欠陥場所検出、未記録領域検出、録画情報記録位置設定、ＵＤＦ（Universal Disk Format）記録、ＡＶアドレス設定等を実行する。
【００３２】
また、マイクロコンピュータブロック１７は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００３３】
マイクロコンピュータブロック１７の実行結果のうち、ユーザに通知すべき内容は、記録再生装置に内蔵の表示部２４に表示されるか、または、外部接続されたモニタディスプレイ２５にＯＳＤ（On Screen Display）表示される。また、マイクロコンピュータブロック１７は、この記録再生装置を操作するための操作信号を与えるキー入力部２６を有する。
【００３４】
なお、マイクロコンピュータブロック１７が、ディスクドライブ部１２、ＨＤＤ部１３、データプロセッサ部１４、エンコーダ部１５及び／またはデコーダ部１６等を制御するタイミングは、ＳＴＣ（System Time Clock）２７からの時間データに基づいて実行することができる。
【００３５】
記録や再生の動作は、通常は、ＳＴＣ２７からのタイムクロックに同期して実行されるが、それ以外の処理はＳＴＣ２７とは独立したタイミングで実行されてもよい。
【００３６】
デコーダ部１６は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。
【００３７】
また、デコードされた主映像に、デコードされた副映像を適宜合成し、主映像にメニュー、ハイライトボタン、字幕やその他の副映像を重ねて出力するビデオプロセッサを備えている。
【００３８】
デコーダ部１６の出力ビデオ信号は、Ｖミキシング部２２に入力される。Ｖミキシング部２２では、テキストデータの合成が行なわれる。また、Ｖミキシング部２２には、ＴＶチューナ部２１やＡ／Ｖ入力部２０からの信号を直接取り込むラインも接続されている。
【００３９】
Ｖミキシング部２２には、バッファとして用いるフレームメモリ部２８が接続されている。Ｖミキシング部２２の出力がアナログ出力の場合は、Ｉ／Ｆ（Interface）２９を介して外部出力され、デジタル出力の場合はデジタルアナログ変換器３０を介してモニタディスプレイ２５に出力される。
【００４０】
デコーダ部１６の出力オーディオ信号は、セレクタ２３を介してデジタルアナログ変換器３１でアナログ変換され、外部接続されたスピーカ３２に出力される。セレクタ２３は、マイクロコンピュータブロック１７からのセレクト信号により制御される。これにより、セレクタ２３は、ＴＶチューナ部２１やＡ／Ｖ入力部２０からのデジタル信号を直接モニタする時、エンコーダ部１５をスルーした信号を直接選択することも可能である。
【００４１】
なお、エンコーダ部１５のフォーマッタ１９では、記録中、各切り分け情報を作成し、定期的にマイクロコンピュータブロック１７のＭＰＵへ送っている［ＧＯＰ（Group Of Picture）先頭割り込み時等の情報］。切り分け情報としては、ＶＯＢＵ（Video Object Unit）のパック数、ＶＯＢＵ先頭からのＩピクチャのエンドアドレス、ＶＯＢＵの再生時間等である。
【００４２】
同時に、アスペクト比情報処理部からの情報を記録開始時にマイクロコンピュータブロック１７へ送り、ＭＰＵはＶＯＢストリーム情報（ＳＴＩ）を作成する。ここで、ＳＴＩは、解像度データ、アスペクトデータ等を保存し、再生時、各デコーダ部ではこの情報を元に初期設定が行なわれる。
【００４３】
また、この記録再生装置では、ビデオファイルは１ディスクに１ファイルとしている。また、データをアクセス（シーク）している間に、途切れないで再生を続けるために、最低限連続する情報単位（サイズ）を決めている。この単位をＣＤＡ（Contiguous Data Area）という。ＣＤＡサイズは、ＥＣＣ（エラー訂正コード）ブロック（１６セクタ）の倍数であり、ファイルシステムではこのＣＤＡ単位で記録を行なっている。
【００４４】
データプロセッサ部１４は、エンコーダ部１５のフォーマッタ１９からＶＯＢＵ単位のデータを受け取り、ＣＤＡ単位のデータをディスクドライブ部１２あるいはＨＤＤ部１３に供給している。
【００４５】
また、マイクロコンピュータブロック１７のＭＰＵは、記録したデータを再生するのに必要な管理情報を作成し、データ記録終了のコマンドを認識すると、作成した管理情報をデータプロセッサ部１４に送る。
【００４６】
これにより、管理情報が光ディスク１１に記録される。したがって、エンコードが行なわれているとき、エンコーダ部１５からマイクロコンピュータブロック１７のＭＰＵは、データ単位の情報（切り分け情報等）を受け取る。
【００４７】
また、マイクロコンピュータブロック１７のＭＰＵは、記録開始時には光ディスク１１及びハードディスクから読み取った管理情報（ファイルシステム）を認識し、各ディスクの未記録エリアを認識し、データ上の記録エリアをデータプロセッサ部１４を介してディスクに設定している。
【００４８】
図２は、この記録再生装置で記録再生されるフォルダの構造を示している。すなわち、フォルダ情報としてフォルダ名等の基本情報の他に、共通属性を、記録媒体の例えば管理領域等に登録可能としている。この共通属性としては、指定フォルダが持つ機能を区別する情報として「フォルダ機能情報」と、その機能に対して必要な情報を保持するための「フォルダ共通情報」とを持たせている。
【００４９】
「フォルダ機能情報」としては、例えばＤＶＤ−Ｒ／ＲＷに対してＤＶＤ−Videoフォーマットで記録するコンテンツをグルーピングする機能（Ａタイプ）を示す情報、コンテンツ再生に制御を与える機能（Ｂタイプ）を示す情報、指定したフォルダ内のコンテンツの一覧表示に制御を与える機能（Ｃタイプ）を示す情報等が考えられる。
【００５０】
そして、Ａタイプの機能の場合には、メニュー背景画像やディスク名等を示す情報が、「フォルダ共通情報」に登録される。また、Ｂタイプの機能の場合には、フレーム画像や再生カウンタのフォント等を示す情報が、「フォルダ共通情報」に登録される。さらに、Ｃタイプの機能の場合には、表示背景画像やフォルダアイコン等を示す情報が、「フォルダ共通情報」に登録される。
【００５１】
それぞれの機能を実行する場合、フォルダが指定されれば、直接「フォルダ機能情報」を参照し、機能を判断した上で処理に必要な情報を「フォルダ共通情報」から取得し機能が実行される。コンテンツ（タイトル）が指定された場合は、そのコンテンツが属するフォルダを検索し、同様に「フォルダ機能情報」「フォルダ共通情報」を参照して機能が実行される。階層化されている場合は階層下にあるフォルダにも適用することも考える。
【００５２】
図３は、フォルダまたはコンテンツを指定し、その「フォルダ機能情報」「フォルダ共通情報」に対応した機能を実行する動作をまとめたフローチャートを示している。まず、処理が開始（ステップＳ１）されると、マイクロコンピュータブロック１７は、ステップＳ２で、フォルダが指定されたかコンテンツが指定されたかを判別する。
【００５３】
そして、コンテンツが指定されたと判断された場合、マイクロコンピュータブロック１７は、ステップＳ３で、その指定されたコンテンツが属するフォルダを検索する。
【００５４】
このステップＳ３の後、または、上記ステップＳ２でフォルダが指定されたと判断された場合、マイクロコンピュータブロック１７は、ステップＳ４で、対象となっているフォルダの「フォルダ機能情報」を参照して機能を判断し、さらに、ステップＳ５で、「フォルダ共通情報」から必要な情報を取得し、ステップＳ６で、その機能の処理を実行させて、処理を終了（ステップＳ７）する。
【００５５】
次に、上記した共通属性、つまり、「フォルダ機能情報」「フォルダ共通情報」の登録について説明する。すなわち、ユーザは、フォルダを新規作成する際にそのフォルダに対して、または、既存のフォルダに対して、共通属性、つまり、「フォルダ機能情報」「フォルダ共通情報」を登録することができる。
【００５６】
例えば、ＤＶＤ−Ｒ／ＲＷにメニューを付けてＤＶＤ−Video作成を行なうコンテンツ（タイトル）をグルーピングする機能を登録する場合、ユーザは、Ａタイプという情報を指定し、その情報を「フォルダ機能情報」に保持させる。
【００５７】
また、フォルダ内に属するコンテンツを再生する際に特別な処理を必要とする機能を登録する場合は、Ｂタイプという情報を指定し、その情報を「フォルダ機能情報」に保持させる。さらに、フォルダ内のコンテンツを一覧表示する際に特別な処理を必要とする機能を登録する場合は、Ｃタイプという情報を指定し、その情報を「フォルダ機能情報」に保持させる。これらの機能は、１つのフォルダに対して１つまたは複数個の設定が可能とする。
【００５８】
図４は、フォルダに共通属性を登録する動作をまとめたフローチャートを示している。まず、処理が開始（ステップＳ８）されると、マイクロコンピュータブロック１７は、ステップＳ９で、フォルダが新規に作成されたか、または、既存のフォルダに対して共通属性の登録が要求されたかを判別する。
【００５９】
そして、既存のフォルダに対する共通属性の登録要求であると判断された場合、マイクロコンピュータブロック１７は、ステップＳ１０で、対象となるフォルダに対してＡ，Ｂ，Ｃタイプを示す「フォルダ機能情報」を設定し、さらに、ステップＳ１１で、「フォルダ共通情報」に必要な情報を設定して、処理を終了（ステップＳ１２）する。
【００６０】
また、上記ステップＳ９でフォルダが新規に作成されたと判断された場合、マイクロコンピュータブロック１７は、ステップＳ１３で、その新規に作成されたフォルダに対して共通属性を登録するか否かを判別する。
【００６１】
この判別は、モニタディスプレイ２５に、図５に示すような共通属性設定選択画面をＯＳＤ表示させ、キー入力部２６を操作して画面上で「する」と「しない」とをカーソルｋで選択して決定操作をすることにより実行される。
【００６２】
そして、共通属性を設定すると判断された場合（ＹＥＳ）、マイクロコンピュータブロック１７は、ステップＳ１０の処理に移行され、以後、新規に作成されたフォルダに対して共通属性の設定が行なわれる。また、共通属性を設定しないと判断された場合（NO）、マイクロコンピュータブロック１７は、そのまま処理を終了（ステップＳ１２）する。
【００６３】
次に、上記したＡタイプの機能、つまり、メニュー付きのＤＶＤ−Videoディスクの作成を行なう機能が設定されたフォルダについて説明する。このフォルダは、図６に示すように、「フォルダＡ Video作成用」としてメニュー表示される。そして、このフォルダを選択することにより、このフォルダに格納されているコンテンツが、このフォルダに設定された「フォルダ共通情報」を反映した形態で光ディスク１１に記録され、ＤＶＤ−Videoディスクが作成されることになる。
【００６４】
通常、メニュー付きのＤＶＤ−Videoディスク作成を行なう際には、例えば、ディスク名、メニュー背景画像（動画・静止画）、メニュー再生時の音楽、コンテンツの保存順番等の設定事項が多い。そして、複数のメディアに書き込む場合には、各メディア毎に設定事項を最初から設定し直す必要があり、手直しが困難となる。
【００６５】
ところが、上記のように、指定したフォルダをＤＶＤ−Video作成用フォルダとして設定し（「フォルダ機能情報」にＡタイプを登録）、それらの設定事項を「フォルダ共通属性」に保持しておくことで、複数の光ディスク１１に書き込んだり、設定項目のうち変更が必要な項目だけ再設定して作成することが可能となる。
【００６６】
ＤＶＤ−Videoディスクの作成を行なう際は、そのフォルダを指定するだけで予め設定された情報に基づいて処理が実行される。メニュー背景画像や再生音楽は、その記録媒体に記録されている情報からユーザが任意に選択することができる。
【００６７】
現在、ＲＤでは、ＤＶＤ−Videoディスクの作成時に設定できる項目は以下の通りである。
【００６８】
・背景画像（タイトル／チャプタ）
・背景台座有/無
・背景台座色
・背景台座透明度
・メニュー文字色
・メニュー選択色
・メニュー決定色
・タイトル順番
・再生開始（メニュー・タイトル１）
・１タイトル再生動作後（メニュー・次タイトル）
・最終タイトル再生後動作（メニュー・タイトル１・停止）
・書き込み前テスト（無し・パーツテスト・全テスト）
・タイトル画面比（元映像通り・４：３固定・１６：９固定）
・ディスク名
次に、上記したＢタイプの機能、つまり、コンテンツ再生時に特別な処理を必要とする機能が設定されたフォルダについて説明する。このフォルダは、図７に示すように、「再生特化用」としてメニュー表示される。そして、このフォルダを選択することにより、このフォルダに格納されているコンテンツ（タイトル）が、このフォルダに設定された「フォルダ共通情報」を反映した形態で再生表示される。
【００６９】
すなわち、このＢタイプを指定して作成されたフォルダに属するコンテンツは、再生時に特別な処理が施されて、モニタディスプレイ２５に再生表示される。例えば、図８に示すように、画面フレームに額縁のような画像を表示しながら再生したり、再生カウンタのフォントを変更したりすることができる。フレームやフォントは、記録媒体に記録されいてる情報からユーザが任意に選択することができる。
【００７０】
次に、上記したＣタイプの機能、つまり、フォルダ内のコンテンツの一覧表示時に特別な処理を必要とする機能が設定されたフォルダについて説明する。このフォルダは、図９に示すように、「一覧表示特化用」としてメニュー表示される。そして、このフォルダを選択することにより、このフォルダに格納されているコンテンツの一覧が、このフォルダに設定された「フォルダ共通情報」を反映した形態で再生表示される。
【００７１】
すなわち、このＣタイプを指定して作成されたフォルダは、その展開時にスピーカ３２よりフォルダ開閉時音を発生させることができる。また、このフォルダに属するコンテンツの一覧を表示する際に、図１０に示すように、背景画像やサムネイル形状、表示時のＢＧＭ、または、フォルダ自体のアイコンをユーザがカスタマイズすることができる。背景画像やフォルダアイコン、音声データ等は、記録媒体に記録されている情報からユーザが任意に選択することができる。
【００７２】
上記した実施の形態によれば、フォルダに「フォルダ機能情報」及び「フォルダ共通情報」等の共通属性を登録可能とすることにより、そのフォルダにグルーピングされたコンテンツに対して共通属性に基づいた処理が施されるようにしたので、ユーザにとってより一層自由度が高く使い勝手の良いグルーピングを実現することが可能となる。
【００７３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００７４】
【図１】この発明の実施の形態を示すもので、記録再生装置を説明するために示すブロック構成図。
【図２】同実施の形態における記録再生装置で記録再生されるフォルダの構造を説明するために示す図。
【図３】同実施の形態における記録再生装置で共通属性に対応した機能を実行する動作を説明するために示すフローチャート。
【図４】同実施の形態における記録再生装置で共通属性を登録する動作を説明するために示すフローチャート。
【図５】同実施の形態における記録再生装置で新規作成フォルダに共通属性を設定するか否かを選択する画面を説明するために示す図。
【図６】同実施の形態における記録再生装置でメニュー付きのＤＶＤ−Videoディスクの作成を行なう機能が設定されたフォルダを説明するために示す図。
【図７】同実施の形態における記録再生装置でコンテンツ再生時に特別な処理を必要とする機能が設定されたフォルダを説明するために示す図。
【図８】同実施の形態における記録再生装置で再生時にコンテンツに施す特別な処理の一例を説明するために示す図。
【図９】同実施の形態における記録再生装置でフォルダ内コンテンツの一覧表示時に特別な処理を必要とする機能が設定されたフォルダを説明するために示す図。
【図１０】同実施の形態における記録再生装置でコンテンツ一覧表示時に施す特別な処理の一例を説明するために示す図。
【符号の説明】
【００７５】
１１…光ディスク、１２…ディスクドライブ部、１３…ＨＤＤ部、１４…データプロセッサ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナ部、２２…Ｖミキシング部、２３…セレクタ、２４…表示部、２５…モニタディスプレイ、２６…キー入力部、２７…ＳＴＣ、２８…フレームメモリ部、２９…Ｉ／Ｆ、３０，３１…デジタルアナログ変換器、３２…スピーカ。
【図１】
2005339691.tif 000003
【図２】
2005339691.tif 000004
【図３】
2005339691.tif 000005
【図４】
2005339691.tif 000006
【図５】
2005339691.tif 000007
【図６】
2005339691.tif 000008
【図７】
2005339691.tif 000009
【図８】
2005339691.tif 000010
【図９】
2005339691.tif 000011
【図１０】
2005339691.tif 000012